(57)【特許請求の範囲】
【請求項１】
遷移元画面を遷移先画面へ遷移させるショートカット機能を備える携帯端末であって、
遷移元画面ごとに、当該遷移元画面の上下左右の４周囲の予め定められた表示位置のそれぞれにショートカット用カーソルを設定するカーソル設定処理部と、
遷移元画面にて当該遷移元画面に設定されたショートカット用カーソルを表示するカーソル表示処理部と、
遷移元画面にて当該遷移元画面に設定されたショートカット用カーソルが選択されると、当該遷移元画面を当該ショートカット用カーソルに設定された遷移先画面へ遷移させるショートカット実行部とを有し、
前記カーソル設定処理部は、所定の画面から遷移先画面を表示する場合の操作手順を入力させ、入力された操作手順をショートカット用カーソルに設定する操作手順設定部をさらに有し、
前記ショートカット実行部は、遷移元画面に設定されたショートカット用カーソルが選択されると、当該ショートカット用カーソルに設定された操作手順に基づいて遷移元画面を遷移先画面へ遷移させ、
前記カーソル設定処理部は、前記携帯端末に表示中の画面を遷移元画面または遷移先画面として選択させるとともに、前記携帯端末に表示中の画面とは別の画面を遷移先画面または遷移元画面として選択させ、選択された遷移元画面に、選択された遷移先画面へ遷移させるショートカット用カーソルを設定する画面設定部をさらに有する、携帯端末。
【請求項２】
前記カーソル表示処理部は、遷移元画面に設定されたショートカット用カーソルの表示が指示されるまでは、当該ショートカット用カーソルを表示しない、請求項１に記載の携帯端末。
【請求項３】
前記カーソル設定処理部は、遷移元画面の上下左右の４周囲の中でどの部分に設定されたショートカット用カーソルを優先して表示するかを示す表示順を選択させ、選択された表示順を設定する表示順設定部をさらに有し、
前記カーソル表示処理部は、遷移元画面に設定されたショートカット用カーソルの表示が指示されると、遷移元画面の上下左右の４周囲の中で最も表示順が高い部分に設定されているショートカット用カーソルを表示する、請求項２に記載の携帯端末。
【請求項４】
前記カーソル設定処理部は、遷移元画面の上下左右の４周囲の予め定められた表示位置に対応する管理番号を入力させ、入力された管理番号を、ショートカット用カーソルの表示位置として設定する表示位置設定部をさらに有し、
前記カーソル表示処理部は、遷移元画面に設定されたショートカット用カーソルを表示するに際し、当該ショートカット用カーソルを、設定された管理番号に対応する表示位置に表示する、請求項１から３のいずれか１項に記載の携帯端末。
【請求項５】
前記カーソル設定処理部は、ショートカット用カーソルの表示色を選択させ、選択された表示色をショートカット用カーソルに設定する表示色設定部をさらに有し、
前記カーソル表示処理部は、遷移元画面に設定されたショートカット用カーソルを表示するに際し、当該ショートカット用カーソルを、設定された表示色で表示する、請求項１から４のいずれか１項に記載の携帯端末。
【請求項６】
前記カーソル設定処理部は、ショートカット用カーソルに遷移先画面が設定されると、当該遷移先画面のタイトルを自動で検索し、検索されたタイトルをショートカット用カーソルに設定するタイトル設定部をさらに有し、
前記カーソル表示処理部は、遷移元画面に設定されたショートカット用カーソルを表示するに際し、当該ショートカット用カーソルに設定されたタイトルを同一画面内に表示する、請求項１から５のいずれか１項に記載の携帯端末。
【請求項７】
前記タイトル設定部は、遷移先画面のタイトルを入力させ、入力されたタイトルをショートカット用カーソルに設定することも行う、請求項６に記載の携帯端末。
【発明の詳細な説明】
【技術分野】
【０００１】
本発明は、携帯電話機、ＰＨＳ（Personal Handyphone System）、ＰＤＡ（Personal Data Assistance，Personal Digital Assistants）などの携帯端末に関する。
【背景技術】
【０００２】
従来、この種の携帯端末には、階層化された複数の機能を選択する操作を容易とするため、ショートカット機能が備えられている。例えば、特許文献１には、ショートカット用のアイコンを画面に表示しておき、そのアイコンが選択されると、そのアイコンに対応する遷移先画面を表示する技術が開示されている。
【特許文献１】特開２００３−２９８７１５号公報
【発明の開示】
【発明が解決しようとする課題】
【０００３】
しかしながら、特許文献１のように、ショートカット用のアイコンを表示する場合においては、ショートカットが設定できる画面が、待ち受け画面やショートカット設定用に専用に設けられたオリジナル画面に限定されてしまう。そのため、ユーザが任意の画面にアイコンを設定することができないという課題がある。
【０００４】
また、ショートカットを設定する画面、ショートカット用のアイコンのデザイン、位置、数等によっては、アイコンと他の表示データの位置が重なる、アイコンと他の表示データが同色であるなどの要因で、アイコンを視認するのが困難になるという課題もある。
【０００５】
そこで、本発明の目的は、ショートカットを設定した部分の視認性を高めることができるとともに、ユーザが任意の画面にショートカットを設定することができる携帯端末を提供することにある。
【課題を解決するための手段】
【０００６】
上記目的を達成するために本発明の携帯端末は、
遷移元画面を遷移先画面へ遷移させるショートカット機能を備える携帯端末であって、
遷移元画面ごとに、当該遷移元画面の上下左右の４周囲の予め定められた表示位置のそれぞれにショートカット用カーソルを設定するカーソル設定処理部と、
遷移元画面にて当該遷移元画面に設定されたショートカット用カーソルを表示するカーソル表示処理部と、
遷移元画面にて当該遷移元画面に設定されたショートカット用カーソルが選択されると、当該遷移元画面を当該ショートカット用カーソルに設定された遷移先画面へ遷移させるショートカット実行部とを有する。
【０００７】
この構成によれば、ユーザは、任意の画面にショートカット用カーソルを設定することができる。また、ショートカット用カーソルが遷移元画面の周囲に表示されるため、ショートカット用カーソルが画面上の他の表示データの位置と重なることを回避することができ、それにより、ショートカット用カーソルの視認性を高めることができる。
【０００８】
また、前記カーソル表示処理部は、遷移元画面に設定されたショートカット用カーソルの表示が指示されるまでは、当該ショートカット用カーソルを表示しないこととしても良い。
【０００９】
この構成によれば、ユーザは、必要な場合にのみショートカット用カーソルを表示し、それ以外のときはショートカット用カーソルを表示しないことができる。
【００１０】
また、前記カーソル設定処理部は、遷移元画面の上下左右の４周囲の中でどの部分に設定されたショートカット用カーソルを優先して表示するかを示す表示順を選択させ、選択された表示順を設定する表示順設定部をさらに有し、
前記カーソル表示処理部は、遷移元画面に設定されたショートカット用カーソルの表示が指示されると、遷移元画面の上下左右の４周囲の中で最も表示順が高い部分に設定されているショートカット用カーソルを表示することとしても良い。
【００１１】
この構成によれば、ユーザは、所望のショートカット用カーソル（例えば、使用頻度が高いもの）を優先して表示することができる。
【００１２】
また、前記カーソル設定処理部は、遷移元画面の上下左右の４周囲の予め定められた表示位置に対応する管理番号を入力させ、入力された管理番号を、ショートカット用カーソルの表示位置として設定する表示位置設定部をさらに有し、
前記カーソル表示処理部は、遷移元画面に設定されたショートカット用カーソルを表示するに際し、当該ショートカット用カーソルを、設定された管理番号に対応する表示位置に表示することとしても良い。
【００１３】
この構成によれば、ユーザは、表示位置ごとに設定したショートカット用カーソルを、管理番号で管理することができ、それにより、操作性の向上を図ることができる。
【００１４】
また、前記カーソル設定処理部は、前記携帯端末に表示中の画面を遷移元画面または遷移先画面として選択させるとともに、前記携帯端末に表示中の画面とは別の画面を遷移先画面または遷移元画面として選択させ、選択された遷移元画面に、選択された遷移先画面へ遷移させるショートカット用カーソルを設定する画面設定部をさらに有することとしても良い。
【００１５】
この構成によれば、ユーザは、表示中の画面を遷移元画面または遷移先画面とするショートカット用カーソルを、簡単な操作で設定することができる。
【００１６】
また、前記カーソル設定処理部は、ショートカット用カーソルの表示色を選択させ、選択された表示色をショートカット用カーソルに設定する表示色設定部をさらに有し、
前記カーソル表示処理部は、遷移元画面に設定されたショートカット用カーソルを表示するに際し、当該ショートカット用カーソルを、設定された表示色で表示することとしても良い。
【００１７】
この構成によれば、ユーザは、ショートカット用カーソルの表示色が画面の色や画面上の他の表示データと同色であった場合、ショートカット用カーソルの表示色を異なる色に設定することができる。そのため、ショートカット用カーソルの視認性をさらに高めることができる。また、ユーザは、視認性とは無関係に、ショートカット用カーソルの表示色を好みの色に設定することができる。
【００１８】
また、前記カーソル設定処理部は、所定の画面から遷移先画面を表示する場合の操作手順を入力させ、入力された操作手順をショートカット用カーソルに設定する操作手順設定部をさらに有し、
前記ショートカット実行部は、遷移元画面に設定されたショートカット用カーソルが選択されると、当該ショートカット用カーソルに設定された操作手順に基づいて遷移元画面を遷移先画面へ遷移させることとしても良い。
【００１９】
この構成によれば、ユーザは、ショートカット用カーソルの遷移先画面を、操作手順によって設定することができる。
【００２０】
また、前記カーソル設定処理部は、ショートカット用カーソルに遷移先画面が設定されると、当該遷移先画面のタイトルを自動で検索し、検索されたタイトルをショートカット用カーソルに設定するタイトル設定部をさらに有し、
前記カーソル表示処理部は、遷移元画面に設定されたショートカット用カーソルを表示するに際し、当該ショートカット用カーソルに設定されたタイトルを同一画面内に表示することとしても良い。
【００２１】
また、前記タイトル設定部は、遷移先画面のタイトルを入力させ、入力されたタイトルをショートカット用カーソルに設定することも行うこととしても良い。
【００２２】
この構成によれば、ユーザは、遷移先画面のタイトルを自身で入力しなくても自動でタイトルを設定することができる。また、ユーザは、自動で設定されたタイトルが判りにくいものであった場合、判り易い表記に変更することもできる。
【発明の効果】
【００２３】
以上説明したように本発明によれば、カーソル設定処理部において、遷移元画面ごとに、当該遷移元画面の上下左右の４周囲の予め定められた表示位置のそれぞれにショートカット用カーソルを設定し、カーソル表示処理部において、遷移元画面にて当該遷移元画面に設定されたショートカット用カーソルを表示する構成としている。
【００２４】
そのため、任意の画面にショートカット用カーソルを設定することができるという効果が得られる。また、ショートカット用カーソルが遷移元画面の周囲に表示されるため、ショートカット用カーソルの視認性を高めることができるという効果が得られる。
【発明を実施するための最良の形態】
【００２５】
以下に、本発明を実施するための最良の形態について図面を参照して説明する。
【００２６】
図１は、本発明の一実施形態による携帯端末のブロック図である。図２は、図１に示した携帯端末の外観図である。
【００２７】
図１および図２を参照すると、本実施形態による携帯端末は、キー入力部１と、通話部２と、制御部３と、表示部４と、記憶部５とを有する。
【００２８】
キー入力部１は、ユーザが操作を行う部分であり、“●”キー（特定キー）、数字キー、矢印キーなどの複数のキーから構成される。
【００２９】
通話部２は、通話時に音声データを入出力する部分であり、マイク２Ａおよびスピーカ２Ｂから構成される。
【００３０】
制御部３は、ユーザによりキー入力部１のどのキーが操作されたかを判別するキーコード認識部６と、通話部２に入出力される音声データの処理を行う音声処理部７と、表示部４に表示される画面の制御を行う画面制御部８とを有する。
【００３１】
画面制御部８は、遷移元画面を遷移先画面に遷移させるショートカット部分となるショートカット用カーソルの処理を行うカーソル処理部９を有する。
【００３２】
カーソル処理部９は、カーソル設定処理部９１と、カーソル表示処理部９２と、ショートカット実行部９３とを有する。
【００３３】
カーソル設定処理部９１は、遷移元画面ごとに、その遷移元画面の上下左右の４周囲の予め定められた表示位置のそれぞれにショートカット用カーソルを設定する処理を行う。カーソル設定処理部９１により設定された内容は記憶部５に記憶される。
【００３４】
カーソル表示処理部９２は、遷移元画面において、記憶部５に記憶されたショートカット用カーソルの設定内容に基づいて、遷移元画面に設定されているショートカット用カーソルを表示する処理を行う。なお、カーソル表示処理部９２は、遷移元画面に設定されたショートカット用カーソルの表示が指示（“●”キーの押下など）されるまでは、ショートカット用カーソルを表示しないものとする。
【００３５】
ショートカット実行部９３は、遷移元画面において、その遷移元画面に設定されたショートカット用カーソルが選択されると、記憶部５に記憶されたショートカット用カーソルの設定内容に基づいて、その遷移元画面をそのショートカット用カーソルに設定されている遷移先画面へ遷移させる処理を行う。
【００３６】
カーソル設定処理部９１は、画面設定部９１１と、表示位置設定部９１２と、表示色設定部９１３と、操作手順設定部９１４と、タイトル設定部９１５と、表示順設定部９１６とを有する。
【００３７】
画面設定部９１１は、ユーザに、表示部４に表示中の画面を、遷移元画面または遷移先画面として選択させるとともに、表示部４に表示中の画面とは別の画面を、遷移先画面または遷移元画面として選択させる。そして、画面設定部９１１は、ユーザに選択された遷移元画面に、ユーザに選択された遷移先画面へ遷移させるショートカット用カーソルを設定する。
【００３８】
表示位置設定部９１２は、ユーザに、遷移元画面の上下左右の４周囲の予め定められた表示位置に対応する管理番号を入力させ、入力された管理番号を、ショートカット用カーソルの表示位置として設定する。カーソル表示処理部９２は、ショートカット用カーソルに設定されている管理番号に対応する表示位置に、そのショートカット用カーソルを表示する。
【００３９】
表示色設定部９１３は、ユーザに、ショートカット用カーソルの表示色を選択させ、選択された表示色をショートカット用カーソルに設定する。カーソル表示処理部９２は、ショートカット用カーソルに設定されている表示色で、そのショートカット用カーソル表示する。
【００４０】
操作手順設定部９１４は、ユーザに、所定の画面（例えば、待ち受け画面）から遷移先画面を表示する場合の操作手順を入力させ、入力された操作手順をショートカット用カーソルに設定する。ショートカット実行部９３は、ショートカット用カーソルが選択されると、そのショートカット用カーソルに設定されている操作手順に基づく動作を行うことで遷移元画面を遷移先画面へ遷移させる。
【００４１】
タイトル設定部９１５は、ショートカット用カーソルに遷移先画面が設定されると、その遷移先画面のタイトルを記憶部５から自動で検索し、検索されたタイトルをショートカット用カーソルに設定する。また、タイトル設定部９１５は、ユーザに、遷移先画面のタイトルを入力させ、入力されたタイトルをショートカット用カーソルに設定することも行う。
【００４２】
なお、カーソル表示処理部９２は、ショートカット用カーソルを表示するに際し、そのショートカット用カーソルに設定されている設定内容（そのカーソルの表示位置、表示色、そのカーソルの遷移先画面を表示するための操作手順、そのカーソルの遷移先画面のタイトルなど）を同一画面内に表示する。
【００４３】
表示順設定部９１６は、ユーザに、遷移元画面の上下左右の４周囲の中でどの部分に設定されているショートカット用カーソルを優先して表示するかを示す表示順を選択させ、選択された表示順を設定する。カーソル表示処理部９２は、遷移元画面に設定されたショートカット用カーソルの表示が指示されると、遷移元画面の上下左右の４周囲の中で最も表示順が高い部分に設定されているショートカット用カーソルを表示する。
【００４４】
表示部４は、カーソル表示処理部９２の制御の元で、カーソル処理部９により遷移元画面に設定されたショートカット用カーソルを表示するＬＣＤ（Liquid Crystal Display）などである。
【００４５】
記憶部５は、遷移元画面に表示するショートカット用カーソルに設定された設定内容、各画面のタイトルなどを記憶する部分である。上述したように、ショートカット用カーソルの設定内容とは、そのカーソルの表示位置、表示色、そのカーソルの遷移先画面を表示するための操作手順、そのカーソルの遷移先画面のタイトルなどである。
【００４６】
図３は、設定済みのショートカット用カーソルを表示する時の画面遷移の一例を示す図である。
【００４７】
図３を参照すると、ユーザは、待ち受け画面１０に設定されているショートカット用カーソルを表示しようとする場合、待ち受け画面１０において、“●”キーを押下する。すると、カーソル表示処理部９２は、待ち受け画面１０に設定されているショートカット用カーソルを、そのカーソルの設定内容と共にカーソル情報画面１１において表示する。ただし、図３では、待ち受け画面１０には複数のショートカット用カーソルが設定されており、待ち受け画面１０の上下左右の４周囲の中で左側の優先順が最も高くなっている。そのため、カーソル表示処理部９２は、表示位置が画面左側に設定されているショートカット用カーソルの中で後述の管理番号が最も小さいショートカット用カーソルを表示するものとする。なお、以下の記載では、表示位置が画面の左側、右側、上側、下側に設定されているショートカット用カーソルを、それぞれ、左グループ、右グループ、上グループ、下グループに属するショートカット用カーソルと称することにする。
【００４８】
ユーザは、カーソル情報画面１１に表示されているショートカット用カーソルを選択する場合、“●”キーを押下する。すると、ショートカット実行部９３は、選択されたショートカット用カーソルの遷移先画面となるカメラ画面１２を表示する。
【００４９】
また、ユーザは、待ち受け画面１０に設定されている他のショートカット用カーソルを選択する場合には、カーソル情報画面１１において、“↑”キー、“↓”キー、または“→”キーを押下する。すると、カーソル表示処理部９２は、これらキーにより指定された方向のグループに属するショートカット用カーソルを表示する。例えば、カーソル情報画面１１において“↑”キーが押下されると、カーソル表示処理部９２は、画面上側の上グループに属するショートカット用カーソルの中で管理番号が最も小さいカーソルを画面１３において表示する。同様に、“↓”キーが押下されると、カーソル表示処理部９２は、左グループに属するショートカット用カーソルの中で管理番号が次に小さいショートカット用カーソルを画面１４において表示する。また、“→”キーが押下されると、カーソル表示処理部９２は、右グループに属するショートカット用カーソルの中で管理番号が最も小さいカーソルを画面１５において表示する。
【００５０】
図４は、ショートカット用カーソルのレイアウトの一例を示す図である。
【００５１】
図４を参照すると、遷移元画面の上下左右の４周囲の予め定められた位置には、ショートカット用カーソルを配置する領域として、一定の長さと幅を持つ領域が確保されている。したがって、ユーザは、遷移元画面ごとに、左グループには、ショートカット用カーソル１０１１〜１０１５を設定することができる。ショートカット用カーソル１０１１〜１０１５には、それぞれ表示位置の管理番号１１〜１５が付加されている。同様に、ユーザは、遷移元画面ごとに、右グループには管理番号２１〜２５のショートカット用カーソル１０２１〜１０２５を設定することができ、上グループには管理番号３１〜３４のショートカット用カーソル１０３１〜１０３４を設定することができ、下グループには管理番号４１〜４４のショートカット用カーソル１０４１〜１０４４を設定することができる。
【００５２】
図５は、図３に示した各画面の詳細例を示す図である。
【００５３】
図５を参照すると、待ち受け画面１０において、“●”キーが押下されると、カーソル表示処理部９２は、待ち受け画面１０に設定されているショートカット用カーソルの中で、表示順が最も高い左グループに属しかつ管理番号が最も小さいショートカット用カーソルを、そのカーソルの設定内容（表示位置、表示色、操作手順、タイトル）と共にカーソル情報画面１１において表示する。
【００５４】
なお、カーソル情報画面１１において、“表示位置”は、ショートカット用カーソルの表示位置が管理番号“１１”であるショートカット用カーソル１０１１の位置にあることを示している。また、“表示色”は、ショートカット用カーソルの表示色が“橙”であることを示している。また、“操作手順”は、ショートカット用カーソルの遷移先画面となるカメラ画面１２を表示する操作手順が“Ｍ５”であることを示している。なお、操作手順“Ｍ５”とは、待ち受け画面１０から“Ｍｅｎｕ”キーと“５”キーを押下する操作を示している。また、“タイトル”は、ショートカット用カーソルの遷移先画面となるカメラ画面１２のタイトルが“Ｃａｍｅｒａ”であることを示している。
【００５５】
例えば、カーソル情報画面１１において、表示されているショートカット用カーソルが、“●”キーの押下により選択されると、ショートカット実行部９３は、選択されたショートカット用カーソルに設定されている操作手順“Ｍ５”に従った動作を行うことで、カメラ画面１２を表示する。
【００５６】
また、カーソル情報画面１１において、“↑”キーが押下されると、カーソル表示処理部９２は、画面上側の上グループに属するショートカット用カーソルの中で管理番号が最も小さいカーソルを画面１３において表示する。同様に、“↓”キーが押下されると、カーソル表示処理部９２は、左グループに属するショートカット用カーソルの中で管理番号が次に小さいカーソルを画面１４において表示する。また、“→”キーが押下されると、カーソル表示処理部９２は、右グループに属するショートカット用カーソルの中で管理番号が最も小さいカーソルを画面１５において表示する。
【００５７】
図６は、設定済みのショートカット用カーソルの設定内容を変更する時の画面遷移の一例を示す図である。
【００５８】
図６を参照すると、ユーザは、待ち受け画面１０に設定されているショートカット用カーソルの設定内容を変更する場合、カーソル情報画面１１において、“Ｍｅｎｕ”キーを押下する。すると、カーソル設定処理部９１は、カーソル設定変更メニュー画面２０を表示する。
【００５９】
ユーザは、待ち受け画面１０に設定されているショートカット用カーソルの表示順の設定を変更する場合、カーソル設定変更メニュー画面２０において、“１”キー押下により“表示順設定”を選択する。すると、カーソル設定処理部９１は、待ち受け画面１０の上下左右の４グループの表示順を設定するための表示順設定画面２１を表示する。ここでは、“左→右→上→下”と設定されたとする。この設定は、左グループに属するショートカット用カーソルを優先して表示し、左グループに属するショートカット用カーソルがなければ、右グループに属するショートカット用カーソルを表示することを示している。
【００６０】
また、ユーザは、待ち受け画面１０の表示位置“１１”に設定されているショートカット用カーソルを編集する場合、カーソル設定変更メニュー画面２０において、“２”キー押下により“編集”を選択する。すると、カーソル設定処理部９１は、設定済みのショートカット用カーソルの表示位置が編集対象となっている表示位置編集画面２２を表示する。この表示位置編集画面２２においては、“表示位置”の入力欄への入力が可能であることを示すために、編集用カーソルが“表示位置”の入力欄に表示されている。編集用カーソルは、入力欄とは異なる特定の色にすることができ、それにより、編集用カーソルの視認性を高めることができる。
【００６１】
また、ユーザは、待ち受け画面１０の表示位置“１１”に設定されているショートカット用カーソルを削除する場合、カーソル設定変更メニュー画面２０において、“３”キー押下により“削除”を選択する。すると、カーソル設定処理部９１は、削除画面２３を表示する。さらに、削除画面２３において、ユーザにより“ＳＫ（Soft Key）１”の押下により“Ｙｅｓ”が選択されると、カーソル設定処理部９１は、設定済みのショートカット用カーソルを削除する。また、ユーザにより“ＳＫ２”の押下により“Ｎｏ”が選択されると、カーソル設定処理部９１は、ショートカット用カーソルの削除をキャンセルする。
【００６２】
図７は、ショートカット用カーソルの表示位置の設定を変更する時の画面遷移の一例を示す図である。
【００６３】
図７を参照すると、ユーザは、待ち受け画面１０の表示位置“１１”に設定されているショートカット用カーソルの表示位置の設定を変更する場合、表示位置編集画面２２において、“２”キー、“５”キー、“●”キーを押下する。すると、カーソル設定処理部９１は、ショートカット用カーソルの表示位置の設定を“１１”から"２５"に変更し、表示位置"２５"にショートカット用カーソルを配置した画面３０を表示する。
【００６４】
図８は、ショートカット用カーソルの表示色の設定を変更する時の画面遷移の一例を示す図である。
【００６５】
図８を参照すると、ユーザは、待ち受け画面１０の表示位置“１１”に設定されているショートカット用カーソルの表示色の設定を変更する場合、表示位置編集画面２２において、“↓”キーを押下する。すると、カーソル設定処理部９１は、編集対象を“表示色”に切り替えた表示色編集画面３１を表示する。
【００６６】
ユーザは、表示色編集画面３１において、“←”キーまたは“→”キーを押下して、本携帯端末が表示可能な別の色“青”を選択する。すると、カーソル設定処理部９１は、表示色を“青”に切り替えた表示色編集画面３２を表示する。
【００６７】
ユーザは、表示色編集画面３２において、“ＳＫ１”の押下により"Ｓａｖｅ"を選択する。すると、カーソル設定処理部９１は、ショートカット用カーソルの表示色の設定を“橙”から“青”に変更し、画面３３を表示する。
【００６８】
図９は、ショートカット用カーソルの遷移先画面を表示するための操作手順の設定を変更する時の画面遷移の一例を示す図である。図９は、操作手順の変更により、遷移先画面自体もカメラ画面１２から“Ｍｙ  ｄａｔａ”画面３５へ変更される例を示している。
【００６９】
図９を参照すると、ユーザは、表示位置編集画面２２において、“↓”キーを２回押下する。すると、カーソル設定処理部９１は、編集対象を“操作手順”に切り替えた操作手順編集画面３４を表示する。
【００７０】
ユーザは、操作手順編集画面３４において、待ち受け画面１０から“Ｍｙ  ｄａｔａ”画面３５へ遷移させる場合の操作と同じ操作をする。ここでは、ユーザは、“Ｍｅｎｕ”キー、“６”キーを続けて押下する操作をする。さらに、ユーザは“●”キーを押下する。すると、カーソル設定処理部９１は、“Ｍｅｎｕ”キー、“６”キーを押下する操作に従って、“Ｍｙ  ｄａｔａ”画面３５を表示する。
【００７１】
ユーザは、“Ｍｙ  ｄａｔａ”画面３５がショートカット用カーソルの遷移先画面として設定したい画面であれば、“●”キーを一定時間押下する。すると、カーソル設定処理部９１は、ショートカット用カーソルの操作手順の設定を"Ｍ６"に変更し、画面３６を表示する。なお、“操作手順”の“Ｍ６"は、"Ｍｅｎｕ”キーに続いて"６"キーが押下される操作を示している。また、“タイトル”の“Ｍｙ  ｄａｔａ”は、画面遷移先のタイトルを自動で読み込んだものである。ただし、ユーザは、次に述べるように、タイトルの設定を任意に変更することもできる。
【００７２】
図１０は、ショートカット用カーソルのタイトルの設定を変更する時の画面遷移の一例を示す図である。
【００７３】
図１０を参照すると、ユーザは、表示位置編集画面２２において、“↓”キーを３回押下する。すると、カーソル設定処理部９１は、編集対象を“タイトル”に切り替えたタイトル編集画面３７を表示する。
【００７４】
ユーザは、タイトルを"Ｃａｍｅｒａ"から"カメラ"に変更したい場合、タイトル編集画面３７において、該当するキー押下により"カメラ"を入力し、続いて、“ＳＫ１”の押下により"Ｓａｖｅ"を選択する。すると、カーソル設定処理部９１は、ショートカット用カーソルのタイトルの設定を"カメラ"に変更し、画面３８を表示する。
【００７５】
図１１は、表示中の画面を遷移先画面とするショートカット用カーソルを新規に追加する時の画面遷移の一例を示す図である。図１１は、表示中のカメラ画面１２を遷移先画面とするショートカット用カーソルを新規に追加する例を示している。
【００７６】
図１１を参照すると、ユーザは、表示中のカメラ画面１２を遷移先画面または遷移先画面とするショートカット用カーソルを新規に追加する場合、カメラ画面１２において、“Ｍｅｎｕ”キーを押下する。すると、カーソル設定処理部９１は、カーソル追加メニュー画面４０を表示する。さらに、カーソル追加メニュー画面４０において、"カーソル追加"が選択されると、カーソル設定処理部９１は、カーソル追加画面４１を表示する。
【００７７】
ユーザは、カーソル追加画面４１において、カメラ画面１２を遷移先画面とするショートカット用カーソルを任意の遷移元画面に設定するか、カメラ画面１２を他の遷移先画面へと遷移させるショートカット用カーソルをカメラ画面１２に設定することができる。
【００７８】
ユーザは、カメラ画面１２を遷移先画面とするショートカット用カーソルを、待ち受け画面１０に設定する場合、カーソル追加画面４１において、"遷移元画面選択"の“待ち受け画面”を選択し、さらに、“●”キーを一定時間押下する。すると、カーソル設定処理部９１は、待ち受け画面１０の上下左右のグループの表示位置の中で未設定の表示位置を、表示順設定画面２１にて予め設定された表示順に検索する。このとき、カーソル設定処理部９１は、画面左側の左グループに未設定の表示位置が２以上ある場合は管理番号が最も小さい表示位置を検索する。そして、カーソル設定処理部９１は、検索した表示位置にカメラ画面１２を遷移先画面とするショートカット用カーソルを設定し、そのカーソルをカーソル情報画面１１において表示する。
【００７９】
図１２は、表示中の画面を遷移先画面とするショートカット用カーソルを新規に追加する時の画面遷移の他の例を示す図である。図１２は、表示中のカメラ画面１２を遷移先画面とするショートカット用カーソルを新規に追加する例を示している。
【００８０】
図１２を参照すると、ユーザは、カメラ画面１２を遷移先画面とするショートカット用カーソルを、“Ｍｙ  ｄａｔａ”画面３５に設定する場合、カーソル追加画面４１において、"遷移元画面選択"の“指定画面”を選択し、さらに、“ＳＫ１”の押下により"Ｓｅｌｅｃｔ"を選択する。すると、カーソル設定処理部９１は、指定画面選択画面５０を表示する。指定画面選択画面５０においては、“指定画面”の入力欄への入力が可能であることを示すために、編集用カーソルが“指定画面”の入力欄に表示されている。
【００８１】
ユーザは、指定画面選択画面５０において、待ち受け画面１０を“Ｍｙ  ｄａｔａ"画面３５へ遷移させる操作手順として、"Ｍｅｎｕ”キーに続いて"６"キーを押下する操作を行う。すると、カーソル設定処理部９１は、“指定画面”の入力欄に“Ｍ６”を記述した指定画面選択画面５１を表示する。
【００８２】
ユーザは、指定画面選択画面５１において、“ＳＫ１”の押下により"Ｓｅｌｅｃｔ"を選択する。すると、カーソル設定処理部９１は、“Ｍｙ  ｄａｔａ”画面３５を表示する。
【００８３】
ユーザは、“Ｍｙ  ｄａｔａ”画面３５が、カメラ画面１２へ遷移するショートカット用カーソルを設定したい画面であれば、“●”キーを一定時間押下する。すると、カーソル設定処理部９１は、"Ｍｙ  ｄａｔａ"画面３５の上下左右のグループの表示位置の中で未設定の表示位置を、表示順設定画面２１にて予め設定された表示順に検索する。そして、カーソル設定処理部９１は、検索した表示位置にカメラ画面１２を遷移先画面とするショートカット用カーソルを設定し、そのカーソルを画面５２において表示する。
【００８４】
図１３は、表示中の画面を遷移元画面とし、その画面にショートカット用カーソルを新規に追加する時の画面遷移の一例を示す図である。図１３は、表示中のカメラ画面１２にショートカット用カーソルを新規に追加する例を示している。
【００８５】
図１３を参照すると、ユーザは、カメラ画面１２を“Ｍｙ  ｄａｔａ”画面３５へ遷移させるショートカット用カーソルを、カメラ画面１２に設定する場合、カーソル追加画面４１において、“↓”キーの２回押下により、"遷移先画面選択"の“表示画面”を選択し、さらに、“ＳＫ１”の押下により"Ｓｅｌｅｃｔ"を選択する。すると、カーソル設定処理部９１は、表示画面選択画面６０を表示する。表示画面選択画面６０においては、“表示画面”の入力欄への入力が可能であることを示すために、編集用カーソルが“表示画面”の入力欄に表示されている。
【００８６】
ユーザは、表示画面選択画面６０において、待ち受け画面１０を“Ｍｙ  ｄａｔａ"画面３５へ遷移させる操作手順として、"Ｍｅｎｕ”キーに続いて"６"キーを押下する操作を行う。すると、カーソル設定処理部９１は、“表示画面”の入力欄に“Ｍ６”を記述した表示画面選択画面６１を表示する。
【００８７】
ユーザは、表示画面選択画面６１において、“ＳＫ１”の押下により"Ｓｅｌｅｃｔ"を選択する。すると、カーソル設定処理部９１は、“Ｍｙ  ｄａｔａ”画面３５を表示する。
【００８８】
ユーザは、“Ｍｙ  ｄａｔａ”画面３５がショートカット用カーソルの遷移先画面に設定したい画面であれば、“●”キーを一定時間押下する。すると、カーソル設定処理部９１は、カメラ画面１２の上下左右のグループの表示位置の中で未設定の表示位置を、表示順設定画面２１にて予め設定された表示順に検索する。そして、カーソル設定処理部９１は、検索した表示位置に“Ｍｙ  ｄａｔａ”画面３５を遷移先画面とするショートカット用カーソルを設定し、そのショートカット用カーソルを画面６２において表示する。
【００８９】
図１４は、待ち受け画面１０に設定したショートカット用カーソルの一覧をグループごとに示した図である。
【００９０】
以下、本実施形態の携帯端末の動作について、フローチャートを参照して説明する。
【００９１】
図１５は、本実施形態の携帯端末の概略動作を説明するフローチャートである。
【００９２】
ユーザは、例えば、待ち受け画面１０での通常の画面処理（壁紙表示など）中に（ステップ１５１）、待ち受け画面１０に設定されているショートカット用カーソルを表示する場合、“●”キーを押下する（ステップ１５２）。すると、図１６において詳細に説明するショートカット用カーソルの表示／設定変更処理が行われる（ステップ１５３）。
【００９３】
また、ユーザは、例えば、カメラ画面１２での通常の画面処理（カメラ撮影など）中に（ステップ１５１）、カメラ画面１２を遷移元画面または遷移先画面とするショートカット用カーソルを新規に追加する場合、“Ｍｅｎｕ"キーを押下する（ステップ１５４）。すると、図１９において詳細に説明するショートカット用カーソルの新規追加処理が行われる（ステップ１５５）。
【００９４】
図１６は、図１５に示したステップ１５３におけるショートカット用カーソルの表示／設定変更処理を詳細に説明するフローチャートである。
【００９５】
図１５のステップ１５２において、ユーザが、待ち受け画面１０において、“●”キーを押下すると、カーソル表示処理部９２は、まず、表示順設定画面２１にて設定された内容に基づき、待ち受け画面１０における上下左右の４グループの表示順を確認する（ステップ１６１）。
【００９６】
次に、カーソル表示処理部９２は、待ち受け画面１０に設定されているショートカット用カーソルを表示順に検索する（ステップ１６２）。例えば、表示順が“左→右→上→下”と設定されている場合には、カーソル表示処理部９２は、まず、左グループに属するショートカット用カーソルを検索し、続いて、右グループ、上グループ、下グループの順番に検索するといった動作を行う。ショートカット用カーソルが設定されていない場合は、図１５のステップ１５１における通常の画面処理に戻る。
【００９７】
一方、表示中の画面にショートカット用カーソルが設定されている場合は、カーソル表示処理部９２は、検索されたショートカット用カーソルを、そのカーソルの設定内容と共にカーソル情報画面１１に表示する（ステップ１６３）。
【００９８】
ユーザは、カーソル情報画面１１に表示されているショートカット用カーソルを選択する場合、カーソル情報画面１１において、“●”キーを押下する（ステップ１６４）。すると、ショートカット実行部９３は、選択されたショートカット用カーソルに設定されている遷移先画面となるカメラ画面１２を表示するショートカット動作を行う（ステップ１６５）。
【００９９】
また、ユーザは、待ち受け画面１０に設定されているショートカット用カーソルの設定内容を変更する場合、カーソル情報画面１１において、“Ｍｅｎｕ"キーを押下する（ステップ１６６）。すると、図１７において詳細に説明するショートカット用カーソルの設定変更処理が行われる（ステップ１６７）。
【０１００】
また、ユーザは、待ち受け画面１０に設定されている他のショートカット用カーソルを選択する場合、カーソル情報画面１１において、該当する矢印キーを押下する（ステップ１６８）。すると、ステップ１６３に戻り、カーソル表示処理部９２は、選択された他のショートカット用カーソルを画面１３，１４，１５などにおいて表示する。
【０１０１】
また、ユーザは、ショートカット用カーソルの表示をキャンセルする場合、カーソル情報画面１１において、“ＣＬＲ"キーを押下する（ステップ１６９）。すると、図１５のステップ１５１における通常の画面処理に戻る。
【０１０２】
図１７は、図１６に示したステップ１６７におけるショートカット用カーソルの設定変更処理を詳細に説明するフローチャートである。
【０１０３】
図１６のステップ１６６において、ユーザが、カーソル情報画面１１において、“Ｍｅｎｕ"キーを押下すると、カーソル設定処理部９１は、まず、カーソル設定変更メニュー画面２０を表示する（ステップ１７１）。
【０１０４】
ユーザは、待ち受け画面１０に設定されているショートカット用カーソルの表示順の設定を変更する場合、カーソル設定変更メニュー画面２０において、"表示順設定"を選択する（ステップ１７２）。すると、カーソル設定処理部９１は、表示順設定画面２１を表示する。そして、カーソル設定処理部９１は、表示順設定画面２１においてユーザが選択した表示順“左→右→上→下”への設定変更を行う（ステップ１７３）。
【０１０５】
また、ユーザは、待ち受け画面１０の表示位置“１１”に設定されているショートカット用カーソルを編集する場合、カーソル設定変更メニュー画面２０において、“編集”を選択する（ステップ１７４）。すると、図１８において詳細に説明するショートカット用カーソルの編集処理が行われる（ステップ１７５）。
【０１０６】
また、ユーザは、待ち受け画面１０の表示位置“１１”に設定されているショートカット用カーソルを削除する場合、カーソル設定変更メニュー画面２０において、“削除”を選択する（ステップ１７６）。すると、カーソル設定処理部９１は、画面の下に削除確認メッセージを記述した削除画面２３を表示する。そして、カーソル設定処理部９１は、削除画面２３において、ユーザが“ＳＫ１”の押下により“Ｙｅｓ”を選択すると、ショートカット用カーソルを削除する（ステップ１７７）。
【０１０７】
また、ユーザは、ショートカット用カーソルの設定変更を行わずに、処理を終了する場合、カーソル設定変更メニュー画面２０において、“ＳＫ１”の押下により“Ｃａｎｃｅｌ”を選択する（ステップ１７８）。すると、図１６のステップ１６３に戻り、カーソル表示処理部９２がカーソル情報画面１１を表示する。
【０１０８】
図１８は、図１７に示したステップ１７５におけるショートカット用カーソルの編集処理を詳細に説明するフローチャートである。
【０１０９】
図１７のステップ１７３において、ユーザが、カーソル設定変更メニュー画面２０において"編集"を選択すると、カーソル設定処理部９１は、まず、表示位置編集画面２２を表示する。
【０１１０】
ユーザは、待ち受け画面１０の表示位置“１１”に設定されているショートカット用カーソルの"表示位置"の設定を変更する場合、表示位置編集画面２２において、"表示位置"の入力欄に変更先の表示位置の管理番号“２５”を入力し、“●”キーを押下する（ステップ１８１）。すると、カーソル設定処理部９１は、入力された管理番号“２５”が、待ち受け画面１０に設定可能な表示位置の管理番号“１１”から"１５"、“２１”から"２５"、“３１”から"３４"、“４１”から"４４"の範囲内であるかチェックする。さらに、カーソル設定処理部９１は、管理番号“２５”の表示位置がショートカット用カーソルを未設定であるかチェックする。カーソル設定処理部９１は、上記のチェックの結果が正当であれば、ショートカット用カーソルの表示位置の設定を“１１”から"２５"に変更し、画面３０を表示する（ステップ１８２）。なお、画面３０において、“操作手順”と“タイトル”に記述がないのは、これらの項目が未設定であることを示している。また、カーソル設定処理部９１は、"表示位置"の入力欄に表示位置の管理番号が設定範囲内で入力され、続けて、予め決められた操作（“●”キー押下以外の操作）が行われた場合、その表示位置に設定されているショートカット用カーソルの設定内容を表示しても良い。
【０１１１】
また、ユーザは、待ち受け画面１０の表示位置“１１”に設定されているショートカット用カーソルの"表示色"の設定を変更する場合、表示位置編集画面２２において、“↓”キーを押下する（ステップ１８３）。すると、カーソル設定処理部９１は、編集対象を“表示色”に切り替えた表示色編集画面３１を表示する。
【０１１２】
次に、ユーザは、表示色編集画面３１において、“←”キーまたは“→”キーを押下して、本携帯端末が表示可能な別の色“青”を選択する。すると、カーソル設定処理部９１は、表示色を“青”に切り替えた表示色編集画面３２を表示する。
【０１１３】
次に、ユーザは、表示色編集画面３２において、“ＳＫ１”の押下により"Ｓａｖｅ"を選択する。すると、カーソル設定処理部９１は、ショートカット用カーソルの表示色の設定を“橙”から“青”に変更し、画面３３を表示する（ステップ１８４）。
【０１１４】
また、ユーザは、待ち受け画面１０の表示位置“１１”に設定されているショートカット用カーソルについて、遷移元画面から遷移先画面へ遷移させるための"操作手順"の設定を変更する場合、表示位置編集画面２２において、“↓”キーを２回押下する（ステップ１８５）。すると、カーソル設定処理部９１は、編集対象を“操作手順”に切り替えた操作手順編集画面３４を表示する。ここでは、遷移先画面自体を、カメラ画面１２から“Ｍｙ  ｄａｔａ”画面３５に変更するものとする。
【０１１５】
次に、ユーザは、操作手順編集画面３４において、待ち受け画面１０から“Ｍｙ  ｄａｔａ”画面３５へ遷移させる場合の操作と同じ操作をする。ここでは、ユーザは、“Ｍｅｎｕ”キー、“６”キーを続けて押下する操作をする。さらに、ユーザは“●”キーを押下する。すると、カーソル設定処理部９１は、“Ｍｅｎｕ”キー、“６”キーを押下する操作に従って、“Ｍｙ  ｄａｔａ”画面３５を表示する。
【０１１６】
次に、ユーザは、“Ｍｙ  ｄａｔａ”画面３５がショートカット用カーソルの遷移先画面として設定したい画面であれば、“●”キーを一定時間押下する。すると、カーソル設定処理部９１は、ショートカット用カーソルの操作手順の設定を"Ｍ６"に変更し、画面３６を表示する（ステップ１８６）。なお、“操作手順”の“Ｍ６"は、"Ｍｅｎｕ”キーに続いて"６"キーが押下される操作を示している。また、“タイトル”の“Ｍｙ  ｄａｔａ”は、画面遷移先のタイトル“Ｍｙ  ｄａｔａ”を自動で読み込んだものである。
【０１１７】
また、ユーザは、待ち受け画面１０の表示位置“１１”に設定されているショートカット用カーソルの遷移先画面の"タイトル"の設定を変更する場合、表示位置編集画面２２において、“↓”キーを３回押下する（ステップ１８７）。すると、カーソル設定処理部９１は、編集対象を“タイトル”に切り替えたタイトル編集画面３７を表示する。ここでは、タイトルを"Ｃａｍｅｒａ"から"カメラ"に変更するものとする。
【０１１８】
次に、ユーザは、タイトル編集画面３７において、該当するキー押下により"カメラ"を入力し、続いて、“ＳＫ１”の押下により"Ｓａｖｅ"を選択する。すると、カーソル設定処理部９１は、ショートカット用カーソルのタイトルの設定を"カメラ"に変更し、画面３８を表示する（ステップ１８８）。
【０１１９】
また、ユーザは、ショートカット用カーソルの編集処理を行わずに、処理を終了する場合、表示位置編集画面２２において、“ＳＫ２”の押下により“Ｃａｎｃｅｌ”を選択する（ステップ１８９）。すると、図１７のステップ１７１に戻り、カーソル設定処理部９１がカーソル設定変更メニュー画面２０を表示する。
【０１２０】
図１９は、図１５に示したステップ１５５におけるショートカット用カーソルの新規追加処理を詳細に説明するフローチャートである。
【０１２１】
図１５のステップ１５４において、ユーザが、カメラ画面１２において、“Ｍｅｎｕ"キーを押下すると、カーソル設定処理部９１は、まず、カーソル追加メニュー画面４０を表示する（ステップ１９１）。
【０１２２】
ユーザは、カーソル追加メニュー画面４０において、“カーソル追加”を選択する。すると、カーソル設定処理部９３は、カーソル追加画面４１を表示する。
【０１２３】
ユーザは、カメラ画面１２を遷移先画面とするショートカット用カーソルを、待ち受け画面１０に設定する場合、カーソル追加画面４１において、"遷移元画面選択"の“待ち受け画面”を選択し、さらに、“●”キーを一定時間押下する（ステップ１９２）。すると、カーソル設定処理部９１は、待ち受け画面１０の上下左右のグループの表示位置の中で未設定の表示位置を、表示順設定画面２１にて予め設定された表示順に検索する。そして、カーソル設定処理部９１は、検索した表示位置にカメラ画面１２を遷移先画面とするショートカット用カーソルを設定し、そのカーソルをカーソル情報画面１１において表示する（ステップ１９３）。
【０１２４】
また、ユーザは、カメラ画面１２を遷移先画面とするショートカット用カーソルを、“Ｍｙ  ｄａｔａ”画面３５に設定する場合、カーソル追加画面４１において、"遷移元画面選択"の“指定画面”を選択し、さらに、“ＳＫ１”の押下により"Ｓｅｌｅｃｔ"を選択する（ステップ１９４）。すると、カーソル設定処理部９１は、指定画面選択画面５０を表示する。指定画面選択画面５０においては、“指定画面”の入力欄への入力が可能であることを示すために、編集用カーソルが“指定画面”の入力欄に表示されている。
【０１２５】
次に、ユーザは、指定画面選択画面５０において、待ち受け画面１０を“Ｍｙ  ｄａｔａ"画面３５へ遷移させる操作手順として、"Ｍｅｎｕ”キーに続いて"６"キーを押下する操作を行う。すると、カーソル設定処理部９１は、“指定画面”の入力欄に“Ｍ６”を記述した指定画面選択画面５１を表示する。
【０１２６】
次に、ユーザは、指定画面選択画面５１において、“ＳＫ１”の押下により"Ｓｅｌｅｃｔ"を選択する。すると、カーソル設定処理部９１は、“Ｍｙ  ｄａｔａ”画面３５を表示する。
【０１２７】
次に、ユーザは、“Ｍｙ  ｄａｔａ”画面３５が、カメラ画面１２へ遷移するショートカット用カーソルを設定したい画面であれば、“●”キーを一定時間押下する。すると、カーソル設定処理部９１は、“Ｍｙ  ｄａｔａ”画面３５の上下左右のグループの表示位置の中で未設定の表示位置を、表示順設定画面２１にて予め設定された表示順に検索する。そして、カーソル設定処理部９１は、検索した表示位置にカメラ画面１２を遷移先画面とするショートカット用カーソルを設定し、そのカーソルを画面５２において表示する（ステップ１９５）。
【０１２８】
また、ユーザは、カメラ画面１２を“Ｍｙ  ｄａｔａ”画面３５へ遷移させるショートカット用カーソルを、カメラ画面１２に設定する場合、カーソル追加画面４１において、“↓”キーを２回押下することにより、"遷移先画面選択"の“表示画面”を選択し、さらに、“ＳＫ１”の押下により"Ｓｅｌｅｃｔ"を選択する（ステップ１９６）。すると、カーソル設定処理部９１は、表示画面選択画面６０を表示する。表示画面選択画面６０においては、“表示画面”の入力欄への入力が可能であることを示すために、編集用カーソルが“表示画面”の入力欄に表示されている。
【０１２９】
ユーザは、表示画面選択画面６０において、待ち受け画面１０を“Ｍｙ  ｄａｔａ"画面３５へ遷移させる操作手順として、"Ｍｅｎｕ”キーに続いて"６"キーを押下する操作を行う。すると、カーソル設定処理部９１は、“表示画面”の入力欄に“Ｍ６”を記述した表示画面選択画面６１を表示する。
【０１３０】
ユーザは、表示画面選択画面６１において、“ＳＫ１”の押下により"Ｓｅｌｅｃｔ"を選択する。すると、カーソル設定処理部９１は、“Ｍｙ  ｄａｔａ”画面３５を表示する。
【０１３１】
ユーザは、“Ｍｙ  ｄａｔａ”画面３５がショートカット用カーソルの遷移先画面に設定したい画面であれば、“●”キーを一定時間押下する。すると、カーソル設定処理部９１は、カメラ画面１２の上下左右のグループの表示位置の中で未設定の表示位置を、表示順設定画面２１にて予め設定された表示順に検索する。そして、カーソル設定処理部９１は、検索した表示位置に“Ｍｙ  ｄａｔａ”画面３５を遷移先画面とするショートカット用カーソルを設定し、そのショートカット用カーソルを画面６２において表示する（ステップ１９７）。
【０１３２】
上述したように本実施形態においては、カーソル設定部９１において、遷移元画面ごとに、その遷移元画面に表示するショートカット用カーソルを設定する構成であるため、ユーザは、任意の画面にショートカット用カーソルを設定することができる。それにより、ある機能の画面を表示している状態で、別の階層にある他の機能の画面を表示する場合、他の機能の画面を遷移先画面とするショートカット用カーソルを選択すれば、数多くの操作をすることなく簡易な操作で他の機能の画面を表示することができる。
【０１３３】
また、カーソル設定部９１において、ショートカット用カーソルの表示位置を遷移元画面の周囲に設定する構成であるため、ショートカット用カーソルが画面上の他の表示データの位置と重なることを回避することができ、それにより、ショートカット用カーソルの視認性を高めることができる。
【図面の簡単な説明】
【０１３４】
【図１】本発明の一実施形態による携帯端末のブロック図である。
【図２】図１に示した携帯端末の外観図である。
【図３】設定済みのショートカット用カーソルを表示する時の画面遷移の一例を示す図である。
【図４】ショートカット用カーソルのレイアウトの一例を示す図である。
【図５】図３に示した各画面の詳細例を示す図である。
【図６】設定済みのショートカット用カーソルの設定内容を変更する時の画面遷移の一例を示す図である。
【図７】ショートカット用カーソルの表示位置の設定を変更する時の画面遷移の一例を示す図である。
【図８】ショートカット用カーソルの表示色の設定を変更する時の画面遷移の一例を示す図である。
【図９】遷移元画面を、ショートカット用カーソルの遷移先画面へ遷移させる操作手順の設定を変更する時の画面遷移の一例を示す図である。
【図１０】ショートカット用カーソルのタイトルの設定を変更する時の画面遷移の一例を示す図である。
【図１１】表示中の画面を遷移先画面とするショートカット用カーソルを新規に追加する時の画面遷移の一例を示す図である。
【図１２】表示中の画面を遷移先画面とするショートカット用カーソルを新規に追加する時の画面遷移の他の例を示す図である。
【図１３】表示中の画面を遷移元画面とし、その画面にショートカット用カーソルを新規に追加する時の画面遷移の一例を示す図である。
【図１４】待ち受け画面に設定したショートカット用カーソルの一覧をグループごとに示した図である。
【図１５】本実施形態の携帯端末の概略動作を説明するフローチャートである。
【図１６】図１５に示したステップ１５３におけるショートカット用カーソルの表示／設定変更処理を詳細に説明するフローチャートである。
【図１７】図１６に示したステップ１６７におけるショートカット用カーソルの設定変更処理を詳細に説明するフローチャートである。
【図１８】図１７に示したステップ１７５におけるショートカット用カーソルの編集処理を詳細に説明するフローチャートである。
【図１９】図１５に示したステップ１５５におけるショートカット用カーソルの新規追加処理を詳細に説明するフローチャートである。
【符号の説明】
【０１３５】
１    キー入力部
２    通話部
３    制御部
４    表示部
５    記憶部
６    キーコード認識部
７    音声処理部
８    画面制御部
９    カーソル処理部
９１    カーソル設定処理部
９２    カーソル表示処理部
９３    ショートカット実行部
９１１    画面設定部
９１２    表示位置設定部
９１３    表示色設定部
９１４    操作手順設定部
９１５    タイトル設定部
９１６    表示順設定部
【図１】
0004557164.tif 000002
【図２】
0004557164.tif 000003
【図３】
0004557164.tif 000004
【図４】
0004557164.tif 000005
【図５】
0004557164.tif 000006
【図６】
0004557164.tif 000007
【図７】
0004557164.tif 000008
【図８】
0004557164.tif 000009
【図９】
0004557164.tif 000010
【図１０】
0004557164.tif 000011
【図１１】
0004557164.tif 000012
【図１２】
0004557164.tif 000013
【図１３】
0004557164.tif 000014
【図１４】
0004557164.tif 000015
【図１５】
0004557164.tif 000016
【図１６】
0004557164.tif 000017
【図１７】
0004557164.tif 000018
【図１８】
0004557164.tif 000019
【図１９】
0004557164.tif 000020